(57)【要約】【課題】回線交換を用いたＶｏＩＰ呼を継続したまま通信端末装置をパケット交換のネットワークへハンドオーバさせることのできる移動通信システムを提供する。【解決手段】ＨＳＳ（認証サーバ）２５は、通信端末装置１が回線交換を用いたＶｏＩＰ呼で使用していたＩＰアドレスを記憶する。ハンドオーバ時に、ＭＭＥ（移動管理サーバ）２３は、ＨＳＳ２５に通信端末装置１が使用していたＩＰアドレスの問い合わせを行い、通信端末装置１に対して、回線交換を用いたＶｏＩＰ呼で使用していたＩＰアドレスと同じＩＰアドレスを、ＬＴＥネットワークのＩＰアドレスとして割り当てて、３ＧネットワークからＬＴＥネットワークへ通信端末装置１をハンドオーバさせる。【選択図】図１
2013219604.tif 000002
【特許請求の範囲】
【請求項１】
回線交換網とパケット交換網へアクセス可能な少なくとも１つの通信端末装置を含む移動通信システムであって、
前記通信端末装置が回線交換を用いたＶｏＩＰ呼で使用していたＩＰアドレスを記憶する認証サーバと、
前記通信端末装置を管理する移動管理サーバとを備え、
前記移動管理サーバは、前記認証サーバにＩＰアドレスの問い合わせを行い、前記通信端末装置に対して、前記通信端末装置が回線交換を用いたＶｏＩＰ呼で使用していたＩＰアドレスと同じＩＰアドレスをパケット交換網のＩＰアドレスとして割り当てて、前記回線交換網から前記パケット交換網へ前記通信端末装置をハンドオーバさせることを特徴とする移動通信システム。
【請求項２】
回線交換網とパケット交換網へアクセス可能な少なくとも１つの通信端末装置を含む移動通信システムにおけるハンドオーバ制御方法であって、
前記通信端末装置に対して、前記通信端末装置が回線交換を用いたＶｏＩＰ呼で使用していたＩＰアドレスと同じＩＰアドレスをパケット交換網のＩＰアドレスとして割り当てるステップと、
前記回線交換網から前記パケット交換網へ前記通信端末装置をハンドオーバさせるステップと、
を含むことを特徴とする移動通信システムにおけるハンドオーバ制御方法。
【発明の詳細な説明】
【技術分野】
【０００１】
本発明は、移動通信システムおよび移動通信システムにおけるハンドオーバ制御方法に関する。
【背景技術】
【０００２】
３Ｇネットワーク（Third Generation mobile network）において、ＶｏＩＰアプリケーション（例えば、非特許文献１など）を用いてパケット交換によって通話を行うと、通常の回線交換を用いた音声通話に比べて遅延時間が大きかったり、遅延時間の揺らぎが大きかったりするという特徴がある。
【０００３】
このため、３ＧネットワークでＶｏＩＰを使用して通話を行うと、パケットの到着の遅れにより音声が遅れて聞こえたり、パケットの順番が入れ替わるなどして破棄され、音声が途切れたりして、会話に支障が出るという問題があった。
【０００４】
この問題を解決する方法の１つとして、３Ｇネットワークから外部ネットワークのＶｏＩＰ通話に接続する場合に、回線交換を用いたＶｏＩＰ呼として接続する方法がある。
【先行技術文献】
【非特許文献】
【０００５】
【非特許文献１】“ＳｋｙｐｅＴＭ｜ａｕ”、ＫＤＤＩ株式会社、インターネット＜ＵＲＬ：http://www.au.kddi.com/seihin/ichiran/smartphone/app/skype/＞
【発明の概要】
【発明が解決しようとする課題】
【０００６】
しかしながら、回線交換を用いたＶｏＩＰ呼として接続した場合、端末装置が３Ｇネットワークのサービスエリアを出て、ＬＴＥ（Long Term Evolution）ネットワーク等のパケット交換のサービスエリアに入る場合は、回線交換を用いたＶｏＩＰ呼を一旦切断しなければならず、回線交換を用いたＶｏＩＰ呼を継続したまま端末装置をＬＴＥ等のネットワークへハンドオーバさせることはできない。
【０００７】
本発明は、このような問題点に鑑みてなされたものであり、本発明の目的は、回線交換を用いたＶｏＩＰ呼を継続したまま通信端末装置をパケット交換のネットワークへハンドオーバさせることのできる移動通信システムを提供することにある。
【課題を解決するための手段】
【０００８】
上記目的を達成するため、本発明は、回線交換網とパケット交換網へアクセス可能な少なくとも１つの通信端末装置を含む移動通信システムであって、前記通信端末装置が回線交換を用いたＶｏＩＰ呼で使用していたＩＰアドレスを記憶する認証サーバと、前記通信端末装置を管理する移動管理サーバとを備え、前記移動管理サーバは、前記認証サーバにＩＰアドレスの問い合わせを行い、前記通信端末装置に対して、前記通信端末装置が回線交換を用いたＶｏＩＰ呼で使用していたＩＰアドレスと同じＩＰアドレスをパケット交換網のＩＰアドレスとして割り当てて、前記回線交換網から前記パケット交換網へ前記通信端末装置をハンドオーバさせることを特徴とする。
【０００９】
また、本発明は、回線交換網とパケット交換網へアクセス可能な少なくとも１つの通信端末装置を含む移動通信システムにおけるハンドオーバ制御方法であって、前記通信端末装置に対して、前記通信端末装置が回線交換を用いたＶｏＩＰ呼で使用していたＩＰアドレスと同じＩＰアドレスをパケット交換網のＩＰアドレスとして割り当てるステップと、前記回線交換網から前記パケット交換網へ前記通信端末装置をハンドオーバさせるステップとを含むことを特徴とする。
【発明の効果】
【００１０】
本発明は、通信端末装置に対して、回線交換を用いたＶｏＩＰ呼で使用していたＩＰアドレスと同じＩＰアドレスを、ＬＴＥネットワークのＩＰアドレスとして割り当てるので、回線交換を用いたＶｏＩＰ呼を切断することなく、通信端末装置１をＬＴＥネットワークへハンドオーバさせることができる。
また、本発明は、ＬＴＥネットワークがデータ通信のみしかサービスしていない場合も通信端末装置をハンドオーバさせることができる。
【図面の簡単な説明】
【００１１】
【図１】本発明の実施形態に係る移動通信システムを示す構成概要図である。
【図２】ＨＳＳ（認証サーバ）の構成を示す図である。
【図３】通信端末装置の構成を概略的に示す図である。
【図４】３Ｇネットワークサービスを利用している通信端末装置がＬＴＥネットワークのサービスエリアへ移動する場合の操作を説明するシーケンス図である。
【図５】通信端末装置が回線交換を用いてサービスを利用しているときの通信端末装置内の音声データの経路を示す図である。
【図６】通信端末装置がパケット交換を用いてサービスを利用しているときの通信端末装置内の音声データの経路を示す図である。
【発明を実施するための形態】
【００１２】
本発明の実施の形態について、図面を参照して説明する。図１は、本発明の実施形態に係る移動通信システムを示す構成概要図である。図１に示す移動通信システムは、Ｗ−ＣＤＭＡ（Wideband Code Division Multiple Access）等の３Ｇネットワークと、ＬＴＥ（Long Term Evolution）等のネットワークと、これらのネットワークの通信システムと通信を行う通信端末装置１と、インターネット２と、通信端末装置１の通信相手であるインターネットに接続された対向ＶｏＩＰ機器３からなる。
【００１３】
３Ｇネットワークは、ＮｏｄｅＢ（ＣＤＭＡ基地局）１１と、ＲＮＣ（Radio Network Controller）１２と、ＳＧＳＮ（Serving GPRS Support Node）１３と、ＧＧＳＮ（Gateway GPRS Support Node）１４と、ＭＳＣ／ＶＬＲ（Mobile Switching Center/Visitor Location Register）１５と、ＧＭＳＣ（Gateway Mobile Switching Center）１６と、ＶｏＩＰ ＧＷ（VoIP Gateway）１７によって構成される。ＶｏＩＰ ＧＷ１７は、３Ｇネットワークの回線交換網とＩＰ網（Internet）とを接続してＶｏＩＰ通信を可能にする。
【００１４】
ＬＴＥのネットワークは、ｅＮｏｄｅＢ（ＬＴＥ基地局）２１と、パケット通信データなどのユーザデータを中継するＳ−ＧＷ（Serving Gateway）２２と、通信端末装置を管理するＭＭＥ（Mobility Management Entity：移動管理サーバ）２３と、Ｐ−ＧＷ（Packet Data Network Gateway）２４と、ＨＳＳ（Home Subscriber Server：認証サーバ）２５によって構成される。
【００１５】
図２は、ＨＳＳ（認証サーバ）の構成を示す図である。ＨＳＳ（認証サーバ）２５は、ユーザ情報３１を保持し、ＩＰアドレスプール３２を備える。ユーザ情報３１は、加入者ＩＤと使用中ＩＰアドレスからなるユーザ情報１〜Ｎを有する。ＩＰアドレスプール３２は、通信端末装置１に割り当て可能なＩＰアドレスを保持する。
【００１６】
図３は、図１に示す通信端末装置１の構成を概略的に示す図である。通信端末装置１は、振り分け部４１と、コーデック部４２と、制御部４３と、無線通信部４４と、ＶｏＩＰアプリケーション（例えば、Ｓｋｙｐｅ（登録商標）など）４５とを有する。なお、記憶部、操作部、マイク、スピーカ等については、本発明と直接関係しないため記載を省略している。通信端末装置１は、Ｗ−ＣＤＭＡとＬＴＥの２つの無線通信方式を備え、ＮｏｄｅＢ（ＣＤＭＡ基地局）１１と、ｅＮｏｄｅＢ（ＬＴＥ基地局）２１にアクセス可能である。
【００１７】
図４は、回線交換を用いてＶｏＩＰ通信が有効な状態で３Ｇネットワークサービスを利用している通信端末装置がＬＴＥネットワークのサービスエリアへ移動する場合の操作を説明するシーケンス図である。なお、ユーザが回線交換を使用してＶｏＩＰ通信を開始した際、ＶｏＩＰ通信用に割り当てられたＩＰアドレスは、ＨＳＳ（認証サーバ）２５に加入者の使用中ＩＰアドレス情報として予め保持しておくことで検索できるようにされているものとする。
【００１８】
ＮｏｄｅＢ１１は、通信端末装置１が回線交換を用いてＶｏＩＰ ＧＷ１７を介して対向のＶｏＩＰ機器３へ接続している状態で、３Ｇネットワークのサービスエリアを出て、ＬＴＥネットワークのサービスエリアに入った場合や、通信端末装置１の無線状態の悪化などで、ハンドオーバ契機を検出すると（Ｓ１０１）、ハンドオーバを開始する（Ｓ１０２）。通信端末装置１は、ｅＮｏｄｅＢ２１との間で無線リンクを確立するとともに（Ｓ１０３）、ＭＭＥ（移動管理サーバ）２３にデータ通信用のベアラの確立を要求する（Ｓ１０４）。ＭＭＥ２３は、ベアラを確立し、ＨＳＳ２５に通信端末装置１の加入者ＩＤの問い合わせを行う（Ｓ１０５）。
【００１９】
ＨＳＳ２５は、通信端末装置１の加入者ＩＤ（例えば、ＩＭＳＩ（International Mobile Subscriber Identity））をキーとして、ユーザが回線交換を用いてＶｏＩＰ通信で使用していたＩＰアドレスを特定し、特定したＩＰアドレスをＭＭＥ２３へ通知する（Ｓ１０６）。ＭＭＥ２３は、通知されたＩＰアドレスを通信端末装置１へ割り当てる（Ｓ１０７）。
【００２０】
通信端末装置１は、割り当てられたＩＰアドレスを使用してＶｏＩＰアプリケーション４５のセッションを回線交換用からパケット交換用へ切り替え、振り分け部４１の振り分け設定を図５に示す回線交換から図６に示すパケット交換へ切り替える。
【００２１】
図５は、通信端末装置が回線交換を用いてサービスを利用しているときの通信端末装置内の音声データの経路を示す図である。通信端末装置１の図示しないマイクからの音声データは、ＶｏＩＰアプリケーション４５を介して振り分け部４１に入力し、振り分け部４１で振り分けられて、制御部４３を通って、無線通信部４４からＮｏｄｅＢ（ＣＤＭＡ基地局）１１に向けて無線送信される。
【００２２】
図６は、通信端末装置がパケット交換を用いてサービスを利用しているときの通信端末装置内の音声データの経路を示す図である。通信端末装置１の図示しないマイクからの音声データは、ＶｏＩＰアプリケーション４５を介して振り分け部４１に入力し、振り分け部４１で振り分けられて、コーデック部４２に入力する。音声データは、コーデック部４２でパケットに変換されて、制御部４３を通って、無線通信部４４からｅＮｏｄｅＢ（ＬＴＥ基地局）２１に向けて無線送信される。
【００２３】
ＭＭＥ２３は、ＩＰアドレスを通信端末装置１へ割り当てた後、Ｓ−ＧＷ２２へ転送設定を行うとともに（Ｓ１０８）、ＶｏＩＰ ＧＷ１７に、ＶｏＩＰ ＧＷ１７が保留していた下りパケットの転送を要求する（Ｓ１０９）。ＶｏＩＰ ＧＷ１７は、下りパケットをＳ−ＧＷ２２へ転送し（Ｓ１１０）、Ｓ−ＧＷ２２は、下りパケットをｅＮｏｄｅＢ２１へ転送し（Ｓ１１１）、ｅＮｏｄｅＢ２１は、下りパケットを通信端末装置１へ転送する（Ｓ１１２）。そして、通信端末装置１のハンドオーバが完了し、通話が継続する。
【００２４】
上述したように、本発明の移動通信システムは、通信端末装置に対して、回線交換を用いたＶｏＩＰ呼で使用していたＩＰアドレスと同じＩＰアドレスを、ＬＴＥネットワークのＩＰアドレスとして割り当てるので、回線交換を用いたＶｏＩＰ呼を切断することなく、通信端末装置１をＬＴＥネットワークへハンドオーバさせることができる。
また、本発明の移動通信システムは、ＬＴＥネットワークがデータ通信のみしかサービスしていない場合も通信端末装置をハンドオーバさせることができる。
【符号の説明】
【００２５】
１  通信端末装置
２  インターネット
３  対向ＶｏＩＰ機器
１１  ＮｏｄｅＢ
１２  ＲＮＣ
１３  ＳＧＳＮ
１４  ＧＧＳＮ
１５  ＭＳＣ／ＶＬＲ
１６  ＧＭＳＣ
１７  ＶｏＩＰ ＧＷ
２１  ｅＮｏｄｅＢ
２２  ＭＭＥ
２３  Ｓ−ＧＷ
２４  Ｐ−ＧＷ
２５  ＨＳＳ
３１  ユーザ情報
３２  ＩＰアドレスプール
４１  振り分け部
４２  コーデック部
４３  制御部
４４  無線通信部
４５  ＶｏＩＰアプリケーション
【図１】
2013219604.tif 000003
【図２】
2013219604.tif 000004
【図３】
2013219604.tif 000005
【図４】
2013219604.tif 000006
【図５】
2013219604.tif 000007
【図６】
2013219604.tif 000008